(57)【要約】【課題】  本発明の薄型表示装置によれば、外部端子を備えた薄型表示装置の厚みを薄くすることができ、外部端子に接続するケーブルの抜き差しを容易に行うことができる。【解決手段】  表示モジュールと、接続基板と、該接続基板に設けられた外部端子とを備える薄型表示装置であって、接続基板は、表示モジュールの背面側であって、表示モジュールより外側に延設され、外部端子は、接続基板の表示モジュール側であって、表示モジュールから延設した領域に配置されていることを特徴とする。【選択図】  図２
2014142400.tif 000002
【特許請求の範囲】
【請求項１】
表示モジュールと、接続基板と、該接続基板に設けられた外部端子とを備える薄型表示装置であって、
前記接続基板は、前記表示モジュールの背面側であって、前記表示モジュールより外側に延設され、
前記外部端子は、前記接続基板の前記表示モジュール側であって、前記表示モジュールから延設した領域に配置されていることを特徴とする薄型表示装置。
【請求項２】
前記接続基板は、前記外部端子が設けられていない基板面に電子部品が実装されていることを特徴とする請求項１記載の薄型表示装置。
【請求項３】
前記外部端子は、前記表示モジュールの表示面に略平行で、且つ外周に向かう方向を挿抜方向とすることを特徴とする請求項１記載の薄型表示装置。
【請求項４】
前記接続基板は、複数の外部端子を有し、
前記複数の外部端子は、前記表示モジュールの表示面と略平行に配置されていることを特徴とする請求項１から３のいずれかに記載の薄型表示装置。
【発明の詳細な説明】
【技術分野】
【０００１】
本発明は薄型表示装置に関し、特に外部機器等と接続するための外部端子を備えた薄型表示装置に関する。
【背景技術】
【０００２】
従来、定位置に設置されて使用される液晶テレビ等の薄型表示装置では、アンテナケーブル、電源ケーブル、ビデオケーブル、外部機器等との接続ケーブルを接続する場合に、本体背面に配置された入出力端子に各ケーブルを接続していた。このように、薄型表示装置の背面に入出力端子を配置したものとして、特許文献１に記載のものがある。
【０００３】
図５、図６を用いて、特許文献１の薄型表示装置２００について説明する。薄型表示装置２００は、図５の斜視図に示すように、背面側のリアカバー２０１に凹部２０２が設けられており、凹部２０２には配線ケーブル２０３を装置底面方向に挿抜可能となるように接続端子２０４が設けられている。
【０００４】
図６に、接続端子２０４近傍の断面図を示す。薄型表示装置２００は、ベゼル２０５、表示パネル２０６、シャーシ２０７からなるパネルモジュールの背面側に、接続端子２０４を実装した回路基板２０８、リアカバー２０１を備えている。また、シャーシ２０７は、表示パネルの外側に延設されたフランジ部２１０を有し、フランジ部２１０の前面側に駆動基板２０９が配置されている。
【０００５】
上記構造の薄型表示装置２００において、厚みＡをさらに薄くする方法としては、パネルモジュールの背面側に設けられた回路基板２０８および接続端子２０４を薄型化することが考えられる。
【先行技術文献】
【特許文献】
【０００６】
【特許文献１】特開２０１０−１２８００１号公報
【発明の概要】
【発明が解決しようとする課題】
【０００７】
しかしながら、接続端子２０４は一般的に配線ケーブル２０３に適合した所定の形状と厚みが必要であり、特許文献１の薄型表示装置２００は、このような接続端子２０４の配置スペースを表示パネル２０６の背面側に設けていたため、回路基板２０８を薄型化することができても、表示パネル２０６と接続端子２０４を合計した厚みＡ以下には薄くできないという問題があった。
【課題を解決するための手段】
【０００８】
本発明の薄型表示装置は、表示モジュールと、接続基板と、該接続基板に設けられた外部端子とを備える薄型表示装置であって、接続基板は、表示モジュールの背面側であって、表示モジュールより外側に延設され、外部端子は、接続基板の表示モジュール側であって、表示モジュールから延設した領域に配置されていることを特徴とする。
【０００９】
また、接続基板は、外部端子が設けられていない基板面に電子部品が実装されていることを特徴とする。
【００１０】
また、外部端子は、表示モジュールの表示面に略平行で、且つ外周に向かう方向を挿抜方向とする。
【００１１】
また、接続基板は、複数の外部端子を有し、複数の外部端子は、表示モジュールの表示面と略平行に配置されていることを特徴とする。
【発明の効果】
【００１２】
本発明の薄型表示装置によれば、外部端子を備えた薄型表示装置の厚みを薄くすることができ、外部端子に接続するケーブルの抜き差しを容易に行うことができる。
【図面の簡単な説明】
【００１３】
【図１】本発明の薄型表示装置の分解斜視図である。
【図２】本発明の実施形態１に係る薄型表示装置の断面図である。
【図３】本発明の実施形態２に係る薄型表示装置の断面図である。
【図４】本発明の実施形態３に係る薄型表示装置の断面図である。
【図５】従来の薄型表示装置の斜視図である。
【図６】従来の薄型表示装置の断面図である。
【発明を実施するための形態】
【００１４】
以下、本発明の実施形態に係る薄型表示装置１０１を適用した液晶テレビについて、図面を参照しながら説明する。なお、本明細書及び図面において、実質的に同一の機能構成を有する構成要素については、同一の符号を付することにより重複説明を省略する。
【００１５】
〔実施形態１〕
図１は、第１の実施形態に係る薄型表示装置１０１の分解斜視図を示したものである。図１に示すように、薄型表示装置１０１は、表キャビネット１３１と裏キャビネット１３２で構成される筐体の内部に、表示モジュール１１０と、外部機器からの各種信号を入出力するための接続基板１２２を備えている。
【００１６】
表キャビネット１３１と裏キャビネット１３２は、プラスチック等の樹脂材料で形成されており、表キャビネット１３１の上面部には、表示モジュール１１０の表示面に対応する開口部１３３が設けられている。また、表キャビネット１３１と裏キャビネット１３２の少なくとも一方の側壁部には、後述する外部端子１４０を外部に露出させるため、開口部または切欠き部１３４が形成されている。
【００１７】
図２は、実施形態１の薄型表示装置１０１の側面断面図の一部である。
【００１８】
表示モジュール１１０は、液晶材料が封入された液晶表示パネル１１１、偏光板や拡散シートの光学部材（図示せず）、導光板と光源から構成されるバックライト１１２、電源回路や制御回路が形成されたメイン基板１２１等から構成されている。ここで、メイン基板１２１は、液晶表示パネル１１１を駆動するための駆動基板を含むものとしている。
【００１９】
表示モジュール１１０の表示面は、表キャビネット１３１の上面に設けられた開口部１３３から外部に露出するように配置されている。また、表示モジュール１１０の背面には、接続基板１２２が配置されている。
【００２０】
接続基板１２２は、表面にインタフェース回路を構成するＩＣや半導体チップ等の電子部品１２４が設けられており、裏面にＨＤＭＩ、ＵＳＢ、ヘッドフォン、ＤｉｓｐｌａｙＰｏｒｔ、ＬＡＮ等の各種信号のケーブルを接続するための外部端子１４０が設けられている。
【００２１】
接続基板１２２は、接続基板１２２の電子部品１２４が設けられた表面が裏キャビネット１３２側に配置され、外部端子１４０が設けられた裏面が表示モジュール１１０側に配置されている。
【００２２】
また、接続基板１２２に設けられた外部端子１４０は、表示モジュール１１０と重ならないように、表示モジュール１１０より外側に延設された接続基板１２２の端部に配置されている。また、外部端子１４０は、ケーブル１４１の挿抜方向が、表示モジュール１１０の表示面に略平行で、且つ外周に向かう方向に配置されている。
【００２３】
表示モジュール１１０及び接続基板１２２は、薄型表示装置１０１の筐体となる表キャビネット１３１と裏キャビネット１３２の内部に、図示しないシャーシを介して固定されている。
【００２４】
ここで、外部端子１４０は、外部端子１４０に接続されるケーブル１４１毎に、適合した所定の形状と厚みを有している。外部端子１４０自身は、薄くすることができないため、薄型表示装置１０１を薄型化する際、外部端子１４０をどのように配置するか重要となる。
【００２５】
実施形態１の薄型表示装置１０１によれば、上記のように、外部端子１４０が表示モジュール１１０より外側で、表示モジュール１１０の厚み方向に配置されているため、外部端子１４０の占める厚みと表示モジュール１１０の厚みを相殺することができる。このため、外部端子１４０を備えた薄型表示装置２００を薄型化することが可能である。
【００２６】
また、本発明の薄型表示装置１０１は、外部端子１４０が接続基板１２２の裏面に設けられていることにより、表面の電子部品１２４と裏面の外部端子１４０を、筐体内のそれぞれの空きスペースへ有効に配置することが可能となる。
【００２７】
また、本発明の薄型表示装置１０１は、外部端子１４０のケーブル１４１の挿抜方向が、表示モジュール１１０の表示面に略平行で、且つ外周に向かう方向に配置されているため、ケーブル１４１の抜き差しを容易に行うことができる。
【００２８】
なお、図１に示すように、薄型表示装置１０１に複数の外部端子１４０ａ、外部端子１４０ｂ、外部端子１４０ｃを設ける場合、それぞれの外部端子１４０ａ、１４０ｂ、１４０ｃを表示モジュール１１０の表示面と略平行に配置することにより、外部端子１４０の個数を増やす場合も薄型表示装置２００が厚くなることを防止することができる。
【００２９】
〔実施形態２〕
図３は、実施形態２の薄型表示装置１０２の側面断面図の一部である。実施形態２の薄型表示装置１０２は、実施形態１に対してメイン基板１２１と接続基板１２２の配置が異なり、他の構成は実施形態１と同一であるため重複説明は省略する。
【００３０】
実施形態２の薄型表示装置１０２は、図３に示すように、少なくともメイン基板１２１の一部、例えば、駆動基板１２１ａが外部端子１４０の設けられた接続基板１２２の延設領域に配置され、接続基板１２２がメイン基板１２１と重ならないバックライト１１２の直後に配置されていることを特徴としている。
【００３１】
すなわち、実施形態２の薄型表示装置１０２では、表示モジュール１１０の下方で、メイン基板１２１と接続基板１２２が重ならない構造としているため、実施形態１に示した薄型表示装置１０１よりも、厚みＡをさらに薄型化することができる。
【００３２】
〔実施形態３〕
図４は、実施形態３の薄型表示装置１０３の側面断面図の一部である。実施形態３の薄型表示装置１０３は、実施形態１に対してメイン基板１２１と接続基板１２２を共通基板１２３としたことであり、他の構成は実施形態１と同一であるため重複説明は省略する。
【００３３】
実施形態３の薄型表示装置１０３は、図４に示すように、表示モジュール１１０のメイン基板１２１を表示モジュール１１０より外側に延設させて、メイン基板１２１の延設部分を接続基板１２２とすることにより、メイン基板１２１と接続基板１２２を１つの基板にした共通基板１２３を設けたことを特徴している。
【００３４】
すなわち、実施形態３の薄型表示装置１０３では、表示モジュール１１０の下方で、メイン基板１２１と接続基板１２２が重ならない構造としているため、実施形態１に示した薄型表示装置１０１よりも、厚みＡをさらに薄型化することができる。
【００３５】
以上、本発明の実施形態について説明したが、本発明はこれらの形態に限定されるものではなく、種々の変形が可能であることは言うまでもない。
【００３６】
例えば、液晶テレビの以外にも、携帯端末等の薄型表示装置にも適用することが可能であり、ＰＤＰ、有機ＥＬなど、液晶以外の表示方式の薄型表示装置にも適用することが可能である。
【００３７】
また、外部端子１４０の設置個所は、表示モジュール１１０の外周領域である４方向のいずれに設けてもよく、複数の外部端子１４０を異なる外周領域に分けて設けても良い。また、外部端子１４０は、ケーブル１４１を接続する接続端子だけではなく、メモリカードなどを挿入する拡張スロットであってもよい。
【符号の説明】
【００３８】
Ａ  厚み
１０１  薄型表示装置
１０２  薄型表示装置
１０３  薄型表示装置
１１０  表示モジュール
１１１  液晶表示パネル
１１２  バックライト
１２１  メイン基板
１２１ａ  駆動基板
１２２  接続基板
１２３  共通基板
１２４  電子部品
１３１  表キャビネット
１３２  裏キャビネット
１３３  開口部
１３４  切欠き部
１４０ｃ  外部端子
１４０ｂ  外部端子
１４０  外部端子
１４０ａ  外部端子
１４１  ケーブル
２００  薄型表示装置
２０１  リアカバー
２０２  凹部
２０３  配線ケーブル
２０４  接続端子
２０５  ベゼル
２０６  表示パネル
２０７  シャーシ
２０８  回路基板
２０９  駆動基板
２１０  フランジ部
【図１】
2014142400.tif 000003
【図２】
2014142400.tif 000004
【図３】
2014142400.tif 000005
【図４】
2014142400.tif 000006
【図５】
2014142400.tif 000007
【図６】
2014142400.tif 000008